(57)【要約】【課題】遊技機本体に対する遊技機部品の組付状態が解除されることを有利に阻止することが出来る、新規な構造の部品組付状態解除阻止機構を提供することを、目的とする。【解決手段】基板ケース２６の遊技機本体４４に対する組付状態で、ケース側筒部３２と本体側筒部４６とに跨って挿入されるスプリングピン５０が、ケース側筒部３２と本体側筒部４６の少なくとも一方に嵌めて固定されることにより、基板ケース２６と遊技機本体４４とが固定されるようにした。【選択図】図６
2007268089.tif 000002
【特許請求の範囲】
【請求項１】
遊技機部品の遊技機本体に対する組付状態の解除を阻止する部品組付状態解除阻止機構において、
前記遊技機部品に一体形成された部品側筒部と、前記遊技機本体に一体形成された本体側筒部とを、前記組付状態下において、それぞれの内部空間が繋がった状態となるように位置せしめると共に、スプリングピンを該部品側筒部の該内部空間と該本体側筒部の該内部空間とに跨るように挿入して該部品側筒部と該本体側筒部の少なくとも一方に嵌めることにより、該遊技機部品を該遊技機本体に固定して、該遊技機部品と該遊技機本体との組付状態の解除を不能とするようにしたことを特徴とする部品組付状態解除阻止機構。
【請求項２】
板状片の中央部分から突出する挿入突起が前記スプリングピンの挿入に際して先行する先行端部とは反対側の端部に挿入固定されていると共に、前記遊技機部品と前記遊技機本体が固定された状態で、該板状片が前記部品側筒部と前記本体側筒部の何れか一方に対して該スプリングピンの挿入方向とは反対側に係止されるようにした請求項１に記載の部品組付状態解除阻止機構。
【発明の詳細な説明】
【技術分野】
【０００１】
本発明は、遊技機の動作を制御するための制御基板が収容される基板ケース等の遊技機部品が遊技機本体に組み付けられた状態の解除を阻止する部品組付状態解除阻止機構に関するものである。
【背景技術】
【０００２】
近年、パチンコ機やスロットマシン等の遊技機においては、遊技者を楽しませるための様々な工夫が施されてきている。そして、これらの工夫の殆どが、各種の回路素子を含んで構成された制御回路による電気的な制御に基づくものである。
【０００３】
そこにおいて、上述の如き制御回路が形成された制御基板は、遊技機部品としての基板ケースに収容されて、その基板ケースが遊技機本体の裏側の適当な位置に取り付けられることが、一般的に行われている（特許文献１参照）。
【０００４】
ところで、基板ケースに収容される制御基板には、例えば、遊技機の作動の全体を制御する主制御基板等のように、遊技機にとって非常に重要なものもある。そして、このような制御基板が収容される基板ケースは、不正改造防止の観点から、特許文献１にも記載されているように、基板ケース自体の開封が阻止されるようになっている。
【０００５】
しかしながら、不正改造防止の観点から考えると、特許文献１に記載されているように、ただ単に遊技盤の裏側に設けられたブラケットに対して基板ケースをピン止めするだけでは、基板ケースが遊技盤から取り外されてしまうおそれがあり、不正改造防止効果を十分に得ることが難しい。
【０００６】
そこで、特許文献２に記載されているように、基板ケースと遊技機本体のそれぞれに孔を形成し、これらの孔に対して中実ピンを嵌め込むことにより、基板ケースを遊技機本体に固定して、遊技機本体に対する基板ケースの平行移動、即ち、基板ケースを遊技機本体から取り外す方向への基板ケースの平行移動を阻止する基板ケース取り外し阻止機構が知られている。
【０００７】
ところで、基板ケースは、そこに収容されている制御基板への不正行為を外部から容易に確認出来るように、例えば、ポリカーボネート（ＰＣ）等の透明な透明な合成樹脂材料によって形成されるのが一般的である。そうすると、基板ケースに形成される孔に対して、成形時に寸法誤差が生じてしまうおそれがある。
【０００８】
加えて、遊技機の周辺温度や稼動中の遊技機が発する熱等によって、基板ケースや遊技機本体に形成される孔の軸直角方向での断面が変形してしまうおそれがある。
【０００９】
それ故、特許文献２に記載の如き基板ケース取り外し機構においては、両方の孔に中実ピンを嵌め込むことが困難になるおそれや、中実ピンを無理矢理嵌め込むことによって、部材が破損するおそれ、更には、中実ピンが容易に抜けるおそれ等があり、基板ケース取り外し機構としての機能を十分に発揮することが難しくなってしまうおそれがある。
【００１０】
【特許文献１】特許第３５２７０６７号
【特許文献２】特開２００１−１６１８９１号公報
【発明の開示】
【発明が解決しようとする課題】
【００１１】
ここにおいて、本発明は、上述の如き事情を背景として為されたものであって、その解決課題とするところは、遊技機本体に対する遊技機部品の組付状態が解除されることを有利に阻止することが出来る、新規な構造の部品組付状態解除阻止機構を提供することにある。
【課題を解決するための手段】
【００１２】
以下、このような課題を解決するために為された本発明の態様を記載する。なお、以下に記載の各態様において採用される構成要素は、可能な限り任意の組み合わせで採用可能である。
【００１３】
本発明は、遊技機部品の遊技機本体に対する組付状態の解除を阻止する部品組付状態解除阻止機構であって、遊技機部品に一体形成された部品側筒部と、遊技機本体に一体形成された本体側筒部とが、遊技機部品が遊技機本体に組み付けられた組付状態下において、それぞれの内部空間が繋がるように位置せしめられると共に、スプリングピンが部品側筒部の内部空間と本体側筒部の内部空間とに跨るように挿入されて部品側筒部と本体側筒部の少なくとも一方に嵌められることにより、遊技機部品が遊技機本体に固定されて、遊技機部品と遊技機本体の組付状態の解除を不能とするようにしたことを、特徴とする。
【００１４】
このような本発明に従う構造とされた部品組付状態解除阻止機構においては、遊技機部品の遊技機本体に対する組付状態で、部品側筒部の内部空間と本体側筒部の内部空間とに跨るように挿入されたスプリングピンが、部品側筒部と本体側筒部の少なくとも一方に嵌められることにより、遊技機部品と遊技機本体とが固定されるようになっている。
【００１５】
そこにおいて、スプリングピンが部品側筒部と本体側筒部の少なくとも一方に嵌められた状態では、スプリングピンに対して、軸直角方向内方への外力、即ち、スプリングピンを締める方向への外力が及ぼされて、スプリングピンの軸直角方向での断面が変形せしめられることとなる。
【００１６】
これにより、スプリングピンが元の形状に戻ろうとする力、即ち、スプリングピンそのものが有する軸直角方向へのばね作用に基づく復元力を、スプリングピンが嵌められている筒部に対して及ぼすことが可能となる。その結果、スプリングピンの筒部から抜ける方向への変位に際して、スプリングピンの外周面とかかるスプリングピンが嵌められている筒部の内周面との間に生ぜしめられて、スプリングピンの変位を妨げる方向に作用する摩擦力を有利に確保することが可能となる。
【００１７】
従って、本発明においては、部品側筒部や本体側筒部の成形時の寸法誤差や稼動中の遊技機が発する熱等による周辺温度の変化に基づく部品側筒部や本体側筒部の変形等に起因する不具合を有利に回避して、スプリングピンが部品側筒部と本体側筒部の少なくとも一方に嵌められた状態の安定化を図ることが可能となる。その結果、遊技機部品と遊技機本体の良好な固定状態を有利に実現することが可能となり、遊技機部品と遊技機本体の組付状態が解除されることを有利に阻止することが可能となる。
【００１８】
なお、本発明において、部品側筒部と本体側筒部は、それぞれ、一つであっても良いし、二つ以上であっても良い。
【００１９】
また、本発明において、「部品側筒部と本体側筒部のそれぞれの内部空間が繋がった状態」とは、スプリングピンが部品側筒部と本体側筒部とに跨るように挿入され得る状態をいう。その際、部品側筒部と本体側筒部は重なっていても良いし、適当な隙間をあけて離隔位置せしめられていても良い。
【００２０】
また、本発明において、部品側筒部や本体側筒部の内部空間の軸直角方向での断面形状は、スプリングピンが挿入され得る断面形状であれば、特に限定されることはなく、例えば、円形や楕円形，多角形，更には、それらの歪んだ形状等、各種の断面形状が採用され得るが、スプリングピンの軸直角方向での断面の外形と略対応していることが望ましい。これにより、スプリングピンの外周面とスプリングピンが嵌められている筒部の内周面との接触面積を有利に確保することが可能となる。その結果、スプリングピンの外周面とスプリングピンが嵌められている筒部の内周面との間に発生する摩擦力を有利に確保することが可能となり、スプリングピンの軸方向の変位を有利に阻止することが可能となる。
【００２１】
更にまた、本発明において、部品側筒部や本体側筒部の軸直角方向での断面の大きさや形状等は、軸方向において一定である必要はなく、例えば、軸方向の一端側と他端側で軸直角方向での断面の大きさや形状等が異なっていても良い。
【００２２】
また、本発明におけるスプリングピンは、軸直角方向へのばね作用を生ぜしめる形状であれば、特に限定されることはなく、例えば、スプリングピンの周方向の一部において軸方向の全長に亘って切り込みが形成された形状や、周壁が周方向で連続する筒形状とされており、その軸直角方向での断面形状が各頂部に丸みを有する多角形とされている形状，更には、周壁の軸直角方向での断面形状が渦巻き状とされており、周壁の少なくとも一部が軸直角方向で重なっている形状等が採用される。そこにおいて、スプリングピンの周方向の一部において軸方向の全長に亘って切り込みが形成されている場合には、その切り込みは、スプリングピンの軸方向に沿ってストレートに延びている必要はなく、例えば、軸方向に対して傾斜する方向に延びていても良いし、蛇行するように延びていても良い。
【００２３】
さらに、本発明において、スプリングピンの軸直角方向での断面の外形は、スプリングピンの軸直角方向へのばね作用を生ぜしめる形状であれば、特に限定されることはなく、例えば、略円形や略楕円形，略多角形、更には、それらの歪んだもの等が採用される。
【００２４】
更にまた、本発明において、スプリングピンの周壁の厚さ寸法は、周方向で一定であっても良いし、異なっていても良い。そこにおいて、周方向の一部において軸方向の全長に亘って切り込みが形成されているスプリングピンの場合、その周壁の厚さ寸法は、切り込みに対して軸直角方向で対向位置する部分が最も大きくされている一方、その部分から切り込みへと周方向に沿って行くに従って次第に厚さ寸法が小さくされていることが望ましい。これにより、スプリングピンが筒部に嵌められた状態で筒部に発生する応力が周方向に均等とされる。その結果、スプリングピンが筒部に嵌められた状態で、スプリングピンの外周面をスプリングピンが嵌められている筒部の内周面に対して全周に亘って密着させることが可能となり、スプリングピンの抜け方向への変位を一層有利に阻止することが可能となる。
【００２５】
更にまた、本発明において、スプリングピンが、周方向の一部において軸方向の全長に亘って切り込みが形成されている形状や、周壁の軸直角方向での断面形状が渦巻き状とされており、周壁の少なくとも一部が軸直角方向で重なっている形状等である場合には、例えば、管に対して軸方向の全長に亘って切り込みを形成する方法や、板材を丸める方法等によって、目的とするスプリングピンが有利に形成される。また、本発明において、スプリングピンが、周壁が周方向で連続とされており、その軸直角方向での断面形状が各頂部に丸みを有する多角形とされている形状である場合には、例えば、引き抜き若しくは押出し成形することによって、目的とするスプリングピンが有利に形成される。
【００２６】
また、本発明において、スプリングピンの形成材料は、軸直角方向へのばね作用を有利に得ることが出来る材料であれば、特に限定されることなく、例えば、鉄鋼やばね鋼，ばね用ステンレス鋼等が採用可能である。
【００２７】
更にまた、本発明においては、板状片の中央部分から突出する挿入突起がスプリングピンの挿入に際して先行する先行端部とは反対側の端部に挿入固定されていると共に、遊技機部品と遊技機本体が固定された状態で、板状片が部品側筒部と本体側筒部の何れか一方に対してスプリングピンの挿入方向とは反対側に係止されるようにすることが望ましい。これにより、スプリングピンの挿入方向とは反対側の方向への変位が、部品側筒部と本体側筒部の何れか一方に対する板状片の係止作用に基づいて阻止されることとなる。その結果、遊技機部品と遊技機本体との固定状態の更なる安定化を図ることが可能となる。
【００２８】
そこにおいて、部品側筒部と本体側筒部の何れか一方に対する板状片の係止状態は、筒部の内周面に形成された段差に板状片が係止されることで実現されるようになっていても良いし、筒部において軸直角方向に開口形成された開口穴に板状片が嵌め入れられて、かかる開口穴の内周面に板状片が係止されることで実現されるようになっていても良い。
【発明を実施するための最良の形態】
【００２９】
以下、本発明を更に具体的に明らかにするために、本発明の実施形態について、図面を参照しつつ、詳細に説明する。
【００３０】
先ず、図１には、遊技機としてのパチンコ機１０が示されている。このパチンコ機１０は、機体の外郭を為す外枠１２の開口前面側において、縦長方形の中枠１４が開閉及び着脱自在に組み付けられた構造とされている。この中枠１４には、図示しない遊技領域が形成された遊技盤（図示せず）が着脱自在に組み付けられており、かかる遊技領域は、中枠１４に対して開閉可能に組み付けられたガラス枠１６によって保持されているガラス板１８を通して遊技者に視認されるようになっている。そして、中枠１４に設けられた操作ハンドル２０に対して回動可能に装着された操作レバー２２を遊技者が回動操作することにより、中枠１４に設けられた上皿２４に貯留されている遊技球が、図示しない球送り機構を介して発射装置（図示せず）に送られた後、遊技領域に向けて発射されるようになっている。
【００３１】
図２には、パチンコ機１０の裏側が示されている。パチンコ機１０の裏側には、パチンコ機１０の作動全体を制御する主制御基板２７が収容された遊技機部品としての基板ケース２６が組み付けられている。
【００３２】
この基板ケース２６は、図３にも示されているように、ケース本体２８に対して蓋部材３０が組み付けられた構造とされている。そして、ケース本体２８と蓋部材３０が組み付けられることで形成された内部空間に主制御基板２７が収容されるようになっている。そこにおいて、基板ケース２６を構成する各部材２８，３０は、何れも、ポリカーボネート（ＰＣ）等の透明な合成樹脂材によって形成されている。これにより、基板ケース２６に収容されている主制御基板２７が外部から視認出来るようになっている。
【００３３】
なお、基板ケース２６には、ケース本体２８と蓋部材３０の組付状態の解除を阻止するロック機構が設けられているが、かかるロック機構は従来から公知であることから、その詳細な説明及び図示は省略することにする。また、ケース本体２８に対する蓋部材３０の組付方法や主制御基板の収容方法も、従来から公知であることから、その詳細な説明は省略することにする。
【００３４】
また、基板ケース２６の長手方向一方の壁部を構成する部分には、部品側筒部としてのケース側筒部３２が複数個（本実施形態では、四個）一体形成されている。そこにおいて、本実施形態では、各ケース側筒部３２は、図４や図５にも示されているように、矩形断面で開口する枠体乃至は筒体形状とされた上側収容部３４の底壁に対して略一定の断面形状でストレートに延びる内部空間３６を備えた円筒形状を呈する下側収容部３８が同一中心軸線上で軸方向下方に突設された構造とされており、これら上側収容部３４と下側収容部３８は、上側収容部３４の底壁に形成された連通孔を通じて、相互に連通せしめられている。特に、本実施形態では、各ケース側筒部３２の開口方向（中心軸線が延びる方向）、即ち、上側収容部３４と下側収容部３８の開口方向（中心軸線が延びる方向）が、基板ケース２６の長手方向と幅方向の両方に対して略直交する方向とされている。
【００３５】
このような構造とされたケース側筒部３２は、上側収容部３４が一対の取付片４０，４０によって基板ケース２６の長手方向一方の壁部を構成する部分に対して取り付けられている。これにより、各ケース側筒部３２が基板ケース２６の外周縁部に対して一体形成されているのである。なお、ケース側筒部３２が取り付けられる、基板ケース２６の長手方向一方の壁部は、ケース本体２８において長手方向で対向位置せしめられる一対の側壁部の一方であっても良いし、蓋部材３０において長手方向で対向位置せしめられる一対の側壁部の一方であっても良い。
【００３６】
そして、上述の如き構造とされた基板ケース２６は、遊技盤や遊技盤の裏側に設けられた適当な部材に対して、長手方向他方の壁部に設けられた回動軸４２回りに回動可能な状態で組み付けられるようになっている。
【００３７】
そこにおいて、本実施形態では、図２や図６に示されているように、遊技領域に設けられた入賞装置に入賞して遊技盤の裏側に排出されてきた遊技球を所定の位置まで誘導するために遊技盤の裏側に固定された、合成樹脂製の裏側カバー部材４４に対して、基板ケース２６が一軸回りに回動可能な状態で組み付けられている。具体的には、裏側カバー部材４４の表面に突設された支持突起４５に形成された支持穴（図示せず）に対して回動軸４２を挿入することで、基板ケース２６が裏側カバー部材４４に対して回動軸４２回りで回動可能な状態で組み付けられているのである。なお、支持突起４５に形成された支持穴（図示せず）に回動軸４２を挿入するに際して、基板ケース２６は裏側カバー部材４４の表面に対して平行移動（図６における上方から下方への平行移動）せしめられるようになっている。
【００３８】
また、裏側カバー部材４４には、基板ケース２６が裏側カバー部材４４に重ね合わせられた状態で、図７に示されているように、基板ケース２６の長手方向一端に設けられたケース側筒部３２、特に、本実施形態では、下側収容部３８に対応する位置に、それぞれ、本体側筒部４６が設けられている。即ち、本体側筒部４６は、ケース側筒部３２と同じ数だけ設けられているのである。なお、図７においては、後述するスプリングピン５０の図示は省略し、ケース側筒部３２と本体側筒部４６の位置関係だけを示すようにした。
【００３９】
この本体側筒部４６は、略一定の円形断面でストレートに延びる内部空間４８を備えた円筒形状とされており、特に本実施形態では、底壁部４７を備えた有底円筒形状とされている。そこにおいて、本実施形態では、各本体側筒部４６は、底壁部４７側が裏側カバー部材４４から遊技盤側に突出するようにして、裏側カバー部材４４に一体形成されている。特に、本実施形態では、本体側筒部４６の開口端面は、裏側カバー部材４４の表面と同じ平面上に位置せしめられている。なお、本体側筒部４６の開口端面は、裏側カバー部材４４の表面から突出していても良い。
【００４０】
また、本実施形態では、本体側筒部４６の中心軸線は、裏側カバー部材４４の表面に対して略直交するようになっている。これにより、裏側カバー部材４４に対して基板ケース２６が重ね合せられた状態下において、本体側筒部４６とケース側筒部３２が同一中心軸線上に位置せしめられるようになっている。
【００４１】
そして、上述の如く、本体側筒部４６とケース側筒部３２が同一中心軸線上に位置せしめられることにより、本体側筒部４６の内部空間４８とケース側筒部３２の内部空間（特に、下側収容部３８の内部空間３６）が後述するスプリングピン５０の挿入を許容するように位置せしめられている。このことから明らかなように、本実施形態では、裏側カバー部材４４に対して基板ケース２６が組み付けられた状態で、本体側筒部４６とケース側筒部３２が同一中心軸線上に位置せしめられることにより、本体側筒部４６の内部空間４８とケース側筒部３２の内部空間（特に、下側収容部３８の内部空間３６）が繋がった状態とされている。なお、本実施形態では、上述の如く、本体側筒部４６とケース側筒部３２が同一中心軸線上に位置せしめられた状態で、本体側筒部４６の開口端面とケース側筒部３２における下側収容部３８の下端面との間には、隙間が形成されている。また、上述の説明から明らかなように、本実施形態では、中枠１４に組み付けられた遊技盤に固定される裏側カバー部材４４を含んで遊技機本体が構成されている。
【００４２】
続いて、基板ケース２６の裏側カバー部材４４に対する固定方法について説明する。先ず、基板ケース２６を一軸回りに回動させて、裏側カバー部材４４に重ね合わせる。その後、同一中心軸上に位置せしめられた本体側筒部４６とケース側筒部３２に対して、スプリングピン５０が挿入されるようになっている。
【００４３】
そこにおいて、本実施形態のスプリングピン５０は、鉄鋼やばね鋼，ばね用ステンレス鋼等で形成されており、図８及び図９に示されているように、周方向の一部において軸方向に蛇行しながら延びる切り込み５２が形成された筒形状とされている。なお、このようなスプリングピン５０は、例えば、長手方向両端が鋸歯状に形成された板材を適当な機械や工具を用いて丸めること等によって、有利に形成される。また、本実施形態のスプリングピン５０は、その軸方向両端の外側角部に対して、全周に亘って角取りが施されている。これにより、軸方向の何れの側からであっても、スプリングピン５０のケース側筒部３２と本体側筒部４６への嵌め入れが有利に行われるようになっている。
【００４４】
また、本実施形態では、このようなスプリングピン５０に対して組付ピン５４が取り付けられている。この組付ピン５４は、ＡＢＳ等の合成樹脂材によって形成されており、図１０及び図１１に示されているように、全体として矩形平板形状とされた板状片５６の中央部分から厚さ方向一方の側に突出する挿入突起としての挿入軸５８が一体形成された構造とされている。
【００４５】
なお、本実施形態では、板状片５６の長手方向両端の下側角部に対して板状片５６の幅方向全長に亘って角取りが施されている。これにより、後述する板状片５６の上側収容部３４内における上側開口から底壁への移動を有利に行うことが可能となる。
【００４６】
このような構造とされた組付ピン５４は、図１２に示されているように、スプリングピン５０の軸方向一端側から挿入軸５８が挿入されて固定されることにより、スプリングピン５０に対して組み付けられている。このことから明らかなように、本実施形態では、スプリングピン５０における軸方向一方の端部が先行端部とは反対側の端部とされているのである。
【００４７】
また、図面上では明示されていないが、本実施形態では、上述の如く、スプリングピン５０に組付ピン５４が組み付けられた状態で、スプリングピン５０の軸方向上方（組付ピン５４が組み付けられた側）から見ると、組付ピン５４における板状片５６によって、スプリングピン５０が覆い隠されるようになっている。
【００４８】
そして、上述の如く、組付ピン５４が組み付けられたスプリングピン５０は、図１３に示されているように、組付ピン５４が取り付けられていない軸方向他端側からケース側筒部３２に挿入されるようになっている。このことから明らかなように、本実施形態では、スプリングピン５０における軸方向他端部が先行端部とされているのである。
【００４９】
そして、上述の如く、スプリングピン５０がケース側筒部３２に挿入されることにより、スプリングピン５０における下側収容部３８に嵌め入れられている部分に対して、スプリングピン５０を締める力が作用することとなる。その結果、スプリングピン５０が元の形状に戻ろうとする力（復元力）が下側収容部３８に作用することとなる。
【００５０】
そして、上述の如きスプリングピン５０による復元力が下側収容部３８に作用することによって、スプリングピン５０における下側収容部３８に嵌め入れられている部分の外周面が下側収容部３８の内周面に押し当てられることとなる。その結果、スプリングピン５０における下側収容部３８に嵌め入れられている部分の外周面と下側収容部３８の内周面との間にスプリングピン５０の軸方向の変位を阻止する方向に作用する摩擦力を発生させることが可能となる。
【００５１】
そして、上述の如く、スプリングピン５０が下側収容部３８に嵌め入れられた状態からスプリングピン５０を摩擦力に抗して更に嵌め入れることにより、図１４に示されているように、スプリングピン５０が本体側筒部４６とケース側筒部３２とに跨って挿入された状態となる。
【００５２】
そこにおいて、本実施形態では、上述の如く、スプリングピン５０が本体側筒部４６とケース側筒部３２とに跨って挿入された状態で、スプリングピン５０における本体側筒部４６に嵌め入れられている部分に対しても、スプリングピン５０を締める力が作用することとなる。これにより、スプリングピン５０が元の形状に戻ろうとする力（復元力）が本体側筒部４６に作用することとなる。その結果、スプリングピン５０における本体側筒部４６に嵌め入れられている部分の外周面と本体側筒部４６の内周面との間にスプリングピン５０の軸方向への変位を阻止する方向に作用する摩擦力を発生させることが可能となる。
【００５３】
このことから明らかなように、本実施形態では、スプリングピン５０が本体側筒部４６とケース側筒部３２とに跨って挿入された挿入状態で、スプリングピン５０が本体側筒部４６とケース側筒部３２の両方に嵌められて固定されている。そして、本実施形態では、スプリングピン５０における本体側筒部４６に嵌め入れられている部分の外周面と本体側筒部４６の内周面との間に発生する摩擦力により、基板ケース２６を裏側カバー部材４４から離隔させる方向への回動、即ち、基板ケース２６と裏側カバー部材４４の固定状態を解除する方向への回動が阻止されて、基板ケース２６と裏側カバー部材４４の固定状態が維持されることとなる。その結果、裏側カバー部材４４に対して一軸回りに回動可能に組み付けられた基板ケース２６を裏側カバー部材４４から分離すること、即ち、基板ケース２６の裏側カバー部材４４に対する組付状態の解除を阻止することが可能となる。
【００５４】
このことから明らかなように、本実施形態では、基板ケース２６に対して一体形成されたケース側筒部３２と、裏側カバー部材４４に対して一体形成された本体側筒部４６と、これらケース側筒部３２と本体側筒部４６とに跨って挿入されるスプリングピン５０とを含んで、基板ケース組付状態解除阻止機構としての解除阻止機構６０が構成されているのである。
【００５５】
なお、本実施形態では、上述の如く、スプリングピン５０が本体側筒部４６とケース側筒部３２とに跨って挿入された挿入状態で、スプリングピン５０の軸方向一方の端部はケース側筒部３２内に位置せしめられていると共に、スプリングピン５０の軸方向他方の端部は本体側筒部４６内に位置せしめられている。
【００５６】
また、本実施形態では、図１３に示されている状態から更にスプリングピン５０を嵌め入れる際において、スプリングピン５０に固定された組付ピン５４における板状片５６の長手方向両端が、上側収容部３４における長手方向（図１３における左右方向）で対向位置せしめられる一対の対向壁部６２，６２に対して摺動せしめられるようになっている。
【００５７】
そこにおいて、本実施形態では、一対の対向壁部６２，６２の対向面間距離が、上側収容部３４の上側開口から底壁へと行くに従って次第に短くなるようにされている。これにより、スプリングピン５０に固定された組付ピン５４における板状片５６の長手方向両端は、上側収容部３４の底壁側に行くに従って次第に上側収容部３４の上側開口側への反りが大きくなるようになっている。
【００５８】
そして、本実施形態では、板状片５６が上側収容部３４の底壁に到達すると、板状片５６の長手方向両端部のそれぞれが、上側収容部３４の上側開口側に反った状態から元の状態に戻ると共に、各対向壁部６２の底壁付近に形成された開口穴６４に入り込むようになっている。その結果、板状片５６の長手方向両端部のそれぞれが、各対向壁部６２に形成された開口穴６４の内周面６６（特に、スプリングピン５０の嵌入方向とは反対側に位置する上側開口側の面）に係止されることにより、組付ピン５４の上側収容部３４の上側開口側への変位、延いては、スプリングピン５０の軸方向上方への変位、即ち、スプリングピン５０の挿入方向とは反対の方向への変位が阻止されることとなる。
【００５９】
なお、本実施形態では、スプリングピン５０がケース側筒部３２に嵌め入れられて、板状片５６の上面がケース側筒部３２の上端面と同じ高さに位置せしめられた状態下において、図１５に示されているように、板状片５６における幅方向両端と上側収容部３４との間に隙間が形成されるようになっている。
【００６０】
特に、本実施形態では、図面上では必ずしも明らかではないが、板状片５６の上面がケース側筒部３２（上側収容部３４）の上端面と同じ高さに位置せしめられた状態から板状片５６の長手方向両端のそれぞれが開口穴６４，６４に入り込むまでの間において、板状片５６における幅方向両端と上側収容部３４との間に隙間が形成されるようになっている。これにより、スプリングピン５０が本体側筒部４６とケース側筒部３２とに跨って挿入された状態に至るまでの間において、板状片５６の長手方向両端のみが上側収容部３４の上側開口側に反るようになっている。その結果、スプリングピン５０がケース側筒部３２に嵌め入れられた状態からスプリングピン５０が本体側筒部４６とケース側筒部３２とに跨って挿入された状態に至るまでの抵抗を小さくすることが可能となる。
【００６１】
なお、図面上では明示されていないが、本実施形態では、同一中心軸上に位置せしめられたケース側筒部３２と本体側筒部４６の組み合わせのうち、何れか一つの組み合わせにおいてのみ、図１４に示されているように、スプリングピン５０がケース側筒部３２と本体側筒部４６の両方に嵌め入れられている一方、その他の組み合わせにおいては、図１３に示されているように、スプリングピン５０がケース側筒部３２のみに嵌め入れられている。
【００６２】
また、本実施形態では、スプリングピン５０はケース側筒部３２と本体側筒部４６の両方に対して嵌着固定されるようになっているが、ケース側筒部３２を基板ケース２６に連結している取付片４０，４０をニッパー等で切断して、ケース側筒部３２を基板ケース２６から分離することにより、基板ケース２６の裏側カバー部材４４に対する一軸回りの回動、即ち、基板ケース２６の裏側カバー部材４４に対する固定状態を解除する方向への回動が可能となる。
【００６３】
このような構造とされた解除阻止機構６０においては、裏側カバー部材４４に対して基板ケース２６が一軸回りで回動可能に組み付けられた状態で、同一中心軸線上に位置せしめられた本体側筒部４６とケース側筒部３２とに跨って挿入されるスプリングピン５０が、本体側筒部４６とケース側筒部３２のそれぞれに対して嵌められて固定されている。
【００６４】
そこにおいて、本体側筒部４６とケース側筒部３２とに跨って挿入されるスプリングピン５０は、周方向の一部で分断された筒形状とされて、軸直角方向にばね作用を生ぜしめるようになっていることから、スプリングピン５０が本体側筒部４６とケース側筒部３２とに跨って挿入された状態で、ケース側筒部３２によって及ぼされる、スプリングピン５０を締める力の反力がケース側筒部３２に及ぼされるようになっていると共に、本体側筒部４６によって及ぼされる、スプリングピン５０を締める力の反力が本体側筒部４６に及ぼされるようになっている。
【００６５】
これにより、スプリングピン５０におけるケース側筒部３２に嵌め入れられている部分の外周面とケース側筒部３２の内周面との間においてスプリングピン５０の軸方向への変位を妨げる方向に作用する摩擦力が発生することとなると共に、スプリングピン５０における本体側筒部４６に嵌め入れられている部分の外周面と本体側筒部４６の内周面との間においてスプリングピン５０の軸方向への変位を妨げる方向に作用する摩擦力が発生することとなる。
【００６６】
従って、上述の如き構造とされた解除阻止機構６０においては、ケース側筒部３２や本体側筒部４６に成形時の寸法誤差があったり、稼動中のパチンコ機１０が発する熱等による基板ケース２６の周辺温度の変化に起因して、ケース側筒部３２や本体側筒部４６に変形があったとしても、基板ケース２６と裏側カバー部材４４の安定した固定状態を有利に実現することが可能となり、その結果、基板ケース２６と裏側カバー部材４４の組付状態の解除を有利に阻止することが可能となる。
【００６７】
そこにおいて、スプリングピン５０がケース側筒部３２と本体側筒部４６とに跨って挿入された状態で、板状片５６の長手方向両端のそれぞれが、開口穴６４に嵌め込まれるようになっていることから、スプリングピン５０が軸方向上方、即ち、挿入方向とは反対側の方向となる抜け方向に変位しようとした場合に、板状片５６の長手方向両端のそれぞれを、開口穴６４の内周面６６に対してスプリングピン５０の挿入方向とは反対側の面に係止させることが可能となる。これにより、例えば、本体側筒部４６の底壁部４７に穴を開ける等して、スプリングピン５０を挿入方向とは反対の方向に押し戻そうとしても、板状片５６の長手方向の各端部が開口穴６４の内周面６６に対して係止されることにより、スプリングピン５０の挿入方向とは反対側の方向への変位を阻止することが可能となる。その結果、基板ケース２６と裏側カバー部材４４の安定した固定状態を一層有利に実現することが可能となり、基板ケース２６と裏側カバー部材４４の組付状態の解除を一層有利に阻止することが可能となる。
【００６８】
また、本実施形態では、スプリングピン５０に固定された組付ピン５４における板状片５６をスプリングピン５０の軸方向上方から見た場合に、板状片５６がスプリングピン５０を覆い隠すようになっていることから、スプリングピン５０を嵌め入れる際に力を加えることが出来る面積を有利に確保することが可能となり、その結果、スプリングピン５０を挿入する際の作業効率を向上させることが可能となる。
【００６９】
さらに、本実施形態では、挿入軸５８が板状片５６の中央部分に突出形成されていることから、スプリングピン５０が本体側筒部４６とケース側筒部３２とに跨って挿入されるまでの過程における板状片５６の長手方向両端の反りを実現することが可能となる。
【００７０】
更にまた、本実施形態では、本体側筒部４６が底壁部４７を備えた有底円筒形状とされていることから、本体側筒部４６の底壁部４７に穴を開ける等しない限り、スプリングピン５０が本体側筒部４６の側から引き抜けないようになっており、しかも、スプリングピン５０と本体側筒部４６との間やスプリングピン５０とケース側筒部３２との間において、スプリングピン５０の引き抜き方向に対して逆らう方向に摩擦力が働くようになっていることから、スプリングピン５０の筒部３２，４６からの引き抜きを有利に阻止することが可能となり、その結果、基板ケース２６と裏側カバー部材４４の固定状態の更なる安定化を図ることが可能となり、基板ケース２６と裏側カバー部材４４の組付状態の解除をより一層有利に阻止することが可能となる。
【００７１】
特に、本実施形態では、本体側筒部４６が遊技盤側に突出するように設けられていることから、本体側筒部４６の底壁部４７に穴を開けること自体を困難にすることが可能となり、基板ケース２６と裏側カバー部材４４の固定状態のより一層の安定化を図ることが可能となる。
【００７２】
次に、本発明の第二の実施形態としての解除阻止機構７２について説明する。なお、以下に記載の第二の実施形態と第三の実施形態において、第一の実施形態と同様な構造とされた部材及び部位については、図中に、第一の実施形態と同一の符号を付すことにより、それらの詳細な説明を省略する。
【００７３】
図１６には、第二の実施形態において採用される基板ケース６８が裏側カバー部材４４に対して組み付けられて固定された状態が示されている。本実施形態で採用されている基板ケース６８は、第一の実施形態で採用されている基板ケース（２６）に比して、ケース側筒部３２が設けられている位置が異なっている。即ち、本実施形態で採用されている基板ケース６８においては、ケース側筒部３２が基板ケース６８の長手方向一端側の底面に対して一体形成されているのである。特に、本実施形態では、ケース側筒部３２の中心軸線が基板ケース６８の長手方向に延びるようになっている。
【００７４】
このような構造とされた基板ケース６８は、第一の実施形態と同様に、長手方向他端側に設けられた回動軸４２回りに回動可能な状態で、裏側カバー部材４４に対して組み付けられている。
【００７５】
そこにおいて、本実施形態では、基板ケース６８が裏側カバー部材４４に対して重ね合わされた状態で、ケース側筒部３２が、裏側カバー部材４４に形成された段差部７０内に位置せしめられるようになっている。そして、ケース側筒部３２が段差部７０内に位置せしめられた状態で、ケース側筒部３２と対応する位置に対して、本体側筒部４６が一体形成されている。特に本実施形態では、上述の如く、ケース側筒部３２が段差部７０内に位置せしめられた状態で、第一の実施形態と同様に、ケース側筒部３２と本体側筒部４６が同一中心軸線上に位置せしめられるようになっている。
【００７６】
そして、上述の如く、本体側筒部４６とケース側筒部３２が同一中心軸線上に位置せしめられることにより、本体側筒部４６の内部空間４８とケース側筒部３２の内部空間３６がスプリングピン５０の挿入を許容する位置にあることとなる。
【００７７】
このことから明らかなように、本実施形態においても、裏側カバー部材４４に対して基板ケース６８が組み付けられた状態で、本体側筒部４６とケース側筒部３２が同一中心軸上に位置せしめられることにより、本体側筒部４６の内部空間４８とケース側筒部３２の内部空間３６が繋がった状態とされているのである。そして、本実施形態では、本体側筒部４６とケース側筒部３２に共通の中心軸線が延びる方向が、基板ケース６８の裏側カバー部材４４に対する組付状態を解除する解除方向に交差していることに加えて、基板ケース６８が裏側カバー部材４４に対して回動する際にケース側筒部３２が描く円弧に接する接線が延びる方向に対しても交差している。なお、本実施形態でも、上述の如く、本体側筒部４６とケース側筒部３２が同一中心軸線上に位置せしめられた状態で、本体側筒部４６の開口端面とケース側筒部３２における下側収容部３８の下端面との間には、隙間が形成されている。
【００７８】
そして、上述の如く同一中心軸線上に位置せしめられたケース側筒部３２と本体側筒部４６とに跨るようにして、スプリングピン５０が挿入されるようになっている。そこにおいて、本実施形態では、スプリングピン５０はケース側筒部３２（下側収容部３８）だけに嵌着固定されるようになっている。
【００７９】
そして、このようにして、ケース側筒部３２と本体側筒部４６とに跨って挿入されたスプリングピン５０がケース側筒部３２に嵌着固定されることにより、基板ケース６８の裏側カバー部材４４に対する一軸回りの回動がスプリングピン５０によって阻止されることとなる。
【００８０】
このことから明らかなように、本実施形態においても、基板ケース６８に対して一体形成されたケース側筒部３２と、裏側カバー部材４４に対して一体形成された本体側筒部４６と、これらケース側筒部３２と本体側筒部４６とに跨って挿入されるスプリングピン５０とを含んで、解除阻止機構７２が構成されているのである。
【００８１】
従って、本実施形態の解除阻止機構７２においても、第一の実施形態と同様な効果を得ることが可能となる。
【００８２】
続いて、本発明の第三の実施形態としての解除阻止機構７４について説明する。図１７には、本実施形態で採用されている基板ケース７６が裏側カバー部材４４に組み付けられて固定された状態が示されている。本実施形態で採用されている基板ケース７６は、第一の実施形態で採用されている基板ケース（２６）に比して、幅方向で対向位置せしめられる一対の側壁部分のそれぞれに対して長手方向の全長に亘って略一定の断面形状で延びるスライド突起７８が一体形成された構造とされている。
【００８３】
このような構造とされた基板ケース７６は、図１８にも示されているように、裏側カバー部材４４の表面に設けられた一対のガイドレール８０，８０に沿って一対のスライド突起７８．７８をスライド変位せしめることにより、裏側カバー部材４４に対して組み付けられるようになっている。なお、本実施形態では、一対のガイドレール８０，８０の長手方向他端側（図１７における右側）において、ストッパ８２が設けられており、それによって、基板ケース７６の長手方向他端側へのスライド変位が制限されるようになっている。
【００８４】
そして、本実施形態では、基板ケース７６がストッパ８２に当接するまでスライド変位せしめられた状態で、裏側カバー部材４４においてケース側筒部３２に対応する位置に本体側筒部４６が一体形成されている。特に本実施形態では、上述の如く、基板ケース７６が裏側カバー部材４４に対して組み付けられた状態で、ケース側筒部３２と本体側筒部４６が同一中心軸線上に位置せしめられるようになっている。
【００８５】
そして、上述の如く、本体側筒部４６とケース側筒部３２が同一中心軸線上に位置せしめられることにより、本体側筒部４６の内部空間４８とケース側筒部３２の内部空間３６がスプリングピン５０の挿入を許容する位置にあることとなる。
【００８６】
このことから明らかなように、本実施形態においても、裏側カバー部材４４に対して基板ケース７６が組み付けられた状態で、本体側筒部４６とケース側筒部３２が同一中心軸上に位置せしめられることにより、本体側筒部４６の内部空間４８とケース側筒部３２の内部空間３６が繋がった状態とされているのである。そして、本実施形態でも、本体側筒部４６とケース側筒部３２に共通の中心軸線が延びる方向が、基板ケース６８の裏側カバー部材４４に対する組付状態を解除する解除方向に対して交差しているのである。なお、図面上では明示されていないが、本実施形態でも、上述の如く、本体側筒部４６とケース側筒部３２が同一中心軸線上に位置せしめられた状態で、本体側筒部４６の開口端面とケース側筒部３２における下側収容部３８の下端面との間には、隙間が形成されている。
【００８７】
そして、上述の如く、同一中心軸線上に位置せしめられたケース側筒部３２と本体側筒部４６とに跨るようにして、スプリングピン５０が挿入されるようになっている。そこにおいて、本実施形態では、スプリングピン５０はケース側筒部３２（下側収容部３８）だけに嵌着固定されるようになっている。
【００８８】
そして、このようにして、ケース側筒部３２と本体側筒部４６とに跨って挿入されたスプリングピン５０がケース側筒部３２に嵌着固定されることにより、基板ケース７６の裏側カバー部材４４に対するスライド変位がスプリングピン５０によって阻止されることとなる。
【００８９】
このことから明らかなように、本実施形態でも、基板ケース７６に対して一体形成されたケース側筒部３２と、裏側カバー部材４４に対して一体形成された本体側筒部４６と、これらケース側筒部３２と本体側筒部４６とに跨って挿入されるスプリングピン５０とを含んで、解除阻止機構７４が構成されているのである。
【００９０】
従って、本実施形態の解除阻止機構７４においても、第一の実施形態と同様な効果を得ることが可能となる。
【００９１】
以上、本発明の幾つかの実施形態について詳述してきたが、これらはあくまでも例示であって、本発明は、かかる実施形態における具体的な記載によって、何等、限定的に解釈されるものではない。
【００９２】
例えば、前記第一乃至第三の実施形態における組付ピン５４は、必ずしも必要なものではない。また、前記第一乃至第三の実施形態におけるスプリングピン５０の軸方向端部外側の角部に対する角取りは、必ずしも必要なものではない。
【００９３】
また、スプリングピンにおける周方向で分断されている部分は、前記第一乃至第三の実施形態のように、蛇行している必要はなく、真っ直ぐ延びていても良い。更に、スプリングピンは、板材を一周以上に巻いた構造であっても良い。
【００９４】
更にまた、周方向で分断された筒状のスプリングピンに対して、スプリングピンの形成材料よりも硬度が低い材料で形成された挿入部材を挿入固定しても良い。これにより、スプリングピンにおいて周方向で分断されている部分の離隔距離を有利に確保することが可能となり、その結果、スプリングピンの軸直角方向へのばね作用を有利に得ることが可能となる。なお、挿入部材の形成材料としては、例えば、硬質ゴムやシリコーン，セラミックス，ウレタン等が採用される。
【００９５】
また、前記第一の実施形態において、スプリングピン５０は本体側筒部４６だけに嵌めて固定されるようになっていても良い。更にまた、前記第二及び第三の実施形態において、スプリングピン５０は、本体側筒部４６だけに嵌めて固定されるようになっていても良いし、本体側筒部４６とケース側筒部３２の両方に対して嵌めて固定されるようになっていても良い。
【００９６】
また、前記第一乃至第三の実施形態において、解除阻止機構６０，７２，７４が基板ケース２６，６８，７６のロック機構を兼ねるようにしても良い。
【００９７】
加えて、前記実施形態では、基板ケースの遊技機本体に対する組付状態の解除を阻止する場合について、本発明を適用したものの一具体例が示されていたが、本発明は、例えば、裏側カバー部材４４と遊技盤との組付状態の解除を阻止する場合や、図示はしていないが、遊技機裏側の各種部品を覆う裏カバーと中枠１４との組付状態の解除を阻止する場合、更には、賞球払出装置や球タンク等が取り付けられる機構板と中枠１４との組付状態の解除を阻止する場合等に対して適用することも、勿論可能である。
【００９８】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００９９】
【図１】本発明の第一の実施形態としての解除阻止機構が採用されたパチンコ機の正面図。
【図２】同パチンコ機の裏面図。
【図３】同パチンコ機に採用されている基板ケースを示す平面図。
【図４】図３におけるＩＶ−ＩＶ方向の断面図。
【図５】図３におけるＶ−Ｖ方向の断面図。
【図６】基板ケースが裏側カバー部材に固定された状態を示す平面図。
【図７】図６におけるＶＩＩ−ＶＩＩ方向の断面であって、ケース側筒部と本体側筒部の位置関係を説明するための拡大断面図。
【図８】第一の実施形態で採用されているスプリングピンの正面図。
【図９】図８に示されたスプリングピンの上面図。
【図１０】図８に示されたスプリングピンに固定される組付ピンの正面図。
【図１１】図１０に示された組付ピンの右側面図。
【図１２】図８のスプリングピンに組付ピンが固定された状態を示す正面図。
【図１３】図１２のスプリングピンが下側収容部に嵌め込まれた状態を示す断面図。
【図１４】図１２のスプリングピンが下側収容部と本体側筒部に嵌め込まれた状態を示す断面図。
【図１５】図１３に示された連結ピンの下側収容部への嵌め込み状態を上方から見た図面。
【図１６】本発明の第二の実施形態としての解除阻止機構を説明するための断面図。
【図１７】本発明の第三の実施形態としての解除阻止機構を説明するための平面図。
【図１８】図１７におけるＸＶＩＩＩ−ＸＶＩＩＩ方向の断面であって、その要部を示す断面図。
【符号の説明】
【０１００】
２６：基板ケース，３２：ケース側筒部，３６：中心孔，４４：裏側カバー部材，４６：本体側筒部，４８：中心孔，５０：スプリングピン，６０：解除阻止機構
【図１】
2007268089.tif 000003
【図２】
2007268089.tif 000004
【図３】
2007268089.tif 000005
【図４】
2007268089.tif 000006
【図５】
2007268089.tif 000007
【図６】
2007268089.tif 000008
【図７】
2007268089.tif 000009
【図８】
2007268089.tif 000010
【図９】
2007268089.tif 000011
【図１０】
2007268089.tif 000012
【図１１】
2007268089.tif 000013
【図１２】
2007268089.tif 000014
【図１３】
2007268089.tif 000015
【図１４】
2007268089.tif 000016
【図１５】
2007268089.tif 000017
【図１６】
2007268089.tif 000018
【図１７】
2007268089.tif 000019
【図１８】
2007268089.tif 000020